(57)【要約】【課題】  簡単な作業で錆のない清浄な水を長期にわたって供給可能とする。この技術を応用して仕切壁の中にパイプを配し長期の使用に耐える温水暖房を行う。【解決手段】  建築物に配した管２０の内部に、架橋ポリエチレンパイプを配し、この架橋ポリエチレンパイプを通して水を送る。架橋ポリエチレンパイプは、曲げ変形にも耐え、高温の水を通しても劣化や物性変化がない。軽量であり取り扱いも容易で、建築物に配設された水道管、給湯管、暖房用配管など各種の管の端末から架橋ポリエチレンパイプを送り込み、管の中に架橋ポリエチレンパイプを配設することが出来る。錆を生じないので長期にわたって水質を保証できる。【選択図】    図１
2006132281.tif 000002
【特許請求の範囲】
【請求項１】
建築物に配した管の内部に、架橋ポリエチレンパイプを配し、この架橋ポリエチレンパイプを通して水を送ることを特徴とする建築物の水管構造。
【請求項２】
請求項１記載の建築物に配した管は、樹脂または金属製の上水の供給管であることを特徴とする建築物の水管構造。
【請求項３】
外壁または仕切壁の内に管を設け、管の内部に設けた架橋ポリエチレンパイプに対して温水供給装置から加熱した水を供給することを特徴とする請求項１記載の建築物の水管構造。
【発明の詳細な説明】
【技術分野】
【０００１】
本発明は、建築物における水の供給または循環の構造に関する。
【背景技術】
【０００２】
建築物には、水を供給しあるいは循環させるための各種の管（水管）が設けられる。いわゆる水道管（上水の供給管）や、排水管、給湯用の配管、加熱した水を循環させる暖房用の配管などである。従来、これらの管は金属製の円管を用いている。
【特許文献１】なし
【発明の開示】
【発明が解決しようとする課題】
【０００３】
広く知られているように、水を通すために設けた建築物の管は、経年劣化によって錆を生ずる。しかし、例えば飲料水や風呂水としての使用がたいへん厳しい状態になっても、そのまま使い続けていることが多い。管を交換するための工事費用が高額になるためであり、不動産価値など諸般の事情から、管を交換するよりも建物全体を新しく作り替える方が有利だと考える住居者も少なくなく、複数の世帯が入っているマンションやアパートでは深刻な問題にもなる。
【０００４】
そこで、本発明の目的は、簡単な作業で錆のない清浄な水を常に供給可能とする点にある。上水に限らず、給湯用の水の供給、暖房用の水の供給（循環利用など）についても同じである。
【課題を解決するための手段】
【０００５】
前記目的を達成するため、請求項１に係る建築物の水管構造は、建築物に配した管の内部に、架橋ポリエチレンパイプを配し、この架橋ポリエチレンパイプを通して水を送る。
【０００６】
架橋ポリエチレンパイプは、十分な水圧に耐える肉厚をもちながら施工に必要な曲げ変形にも耐え、高温の水を通しても劣化や物性変化がほとんどない。軽量であるため取り扱いも容易である。このため、既設、新設をとわず、建築物に配設された水道管、給湯管、暖房用配管など各種の管の端末から架橋ポリエチレンパイプを送り込んで、管の中に架橋ポリエチレンパイプを配設することが出来る。
【０００７】
管の中に架橋ポリエチレンパイプを装填した状態で、この架橋ポリエチレンパイプを介して水を供給または循環させれば、管がすでに経年劣化しているような場合でも管を交換したのと同じように錆のない清浄な上水を居室や浴室等に供給することが出来る。数十年を経過して、水道水に含まれる水垢（塩素や石灰成分など）により架橋ポリエチレンパイプを交換する必要が生じた場合でも、抜き取って新しい架橋ポリエチレンパイプを配設することは容易であり、建築物の壁や床や天井には一切手をつける必要がないため、メンテナンス時の施工コストもきわめて安価に抑えることが出来る。
【０００８】
請求項２は、いわゆる水道管（上水の供給管）に関するもので、樹脂管を利用する旨の技術である。建築物の中に配設される従来の水道管は金属製の管であった。請求項１に係る発明は既設の金属管にも適用できるが、新設の建築物に適用する場合は、樹脂管を利用する方が有利な場合もある。管のコスト、施工性、重量などの点において優れるからである。
【０００９】
請求項３は、居室の暖房に係る技術である。外壁または仕切壁の内側に管を設け、その内部に設けた架橋ポリエチレンパイプに対して温水供給装置から加熱した水を供給する。
【００１０】
従来、家屋内の暖房に温水を用いる場合は、床下に配管を設けて、この配管に対して温水を循環供給していた。いわゆる床暖房である。床暖房の場合は、配管をメンテナンスするにしても、外壁の居室側の壁板や仕切壁をいじる必要がない。しかし金属管に高温水を直で循環供給する従来の方式では、メンテナンスのことを考慮すると外壁や仕切壁を利用した暖房は出来ない。
【００１１】
一方、請求項３に係る構造によれば、配管の内部に挿通させてある架橋ポリエチレンパイプの配設も交換も容易であることから、無理のない施工コストで温水を利用した壁暖房を実現することが出来る。温水利用の壁暖房は、加熱空気を利用する壁暖房に較べて格段に暖房効果が高まる。また、温水を利用した床暖房と異なり、一本の配管を利用して各階において左右二つの居室を同時に温めることが出来るため、同一の効果を床暖房で実現する場合よりも配管の経路長を確実に短くすることが出来る。
【発明の効果】
【００１２】
本発明に係る水管構造によれば、管に水を通す場合に較べて管の経年劣化が少なく、常にきれいな水を供給することが可能となる。管の内部の架橋ポリエチレンパイプの配設と交換もたいへん容易である。管の内部に架橋ポリエチレンパイプを配して水を供給（循環供給を含む）するならば、壁の内側に配管を設けて架橋ポリエチレンパイプに高温水を送り込む壁暖房も可能となり、管の劣化によるメンテナンス時の工事費用を憂慮することなく、暖房効果の高い壁暖房を実現することが出来る。
【発明を実施するための最良の形態】
【００１３】
図１、図２は、暖房のための高温水の循環供給に適用する場合であって、建物内の仕切壁１０に管２０を設け、この管２０の内側に架橋ポリエチレンパイプを配する構造を例示するものである。３１は、一階の居室、３２は、二階の居室である。
【００１４】
ボイラ装置（図示せず）から加熱した水を循環供給するため、管２０は、図３にも示すように、例えば金属製の丸管を用い、その内部に架橋ポリエチレンパイプ２２を装填してある。温水は、架橋ポリエチレンパイプ２２に送り込む。
【００１５】
管２０は、例えば建築物の一階の床面から、最上階（例えば二階）の天井付近に達するよう縦方向（上下方向）に配設するとともに、仕切壁１０の全体が暖まるよう、左右方向にも複数の管２０を縦方向に平行に配設し、連続した一つの配管となるよう、管２０の上端同士および下端同士をヘッター（連絡パイプ）２３によって連絡する。２４は、ボイラー装置からの温水を左右いずれかの端部の管２０の架橋ポリエチレンパイプ２２に供給するための給湯管である。
【００１６】
仕切壁１０は、好ましくは少なくとも片側を鉄筋コンクリート製の壁として構成する。図１において符号１２は、仕切壁１０の内部に配した鉄筋である。管２０を配設する仕切壁１０を鉄筋コンクリート製とするのは、管２０から放出される熱をコンクリートに蓄積することによって、居室に対して常に輻射熱（熱線効果）を与えるためである。管２０を配設する仕切壁１０の内側空間は、例えば幅１０ｃｍ程度の隙間をもたせ、管２０がコンクリート壁（１０）に接触しないようにしておくことが望ましい。劣化を防止するためである。
【００１７】
輻射熱は空気中の透過力が大きく、湿気を除去し、カビの発生を抑える効果がある。このため、管２０から放出される高温水の熱をいったん鉄筋コンクリート製の仕切壁１０に蓄えてから、輻射熱として放出させることにより、居室内の結露やカビの発生を防ぐ効果をもつ。
【００１８】
仕切壁１０をコンクリートによって作る場合は、例えば、型枠にコンクリートを打って片側の壁を作り、管２０を配設して架橋ポリエチレンパイプ２２をヘッター２３によって連結してから、他方の壁を鉄筋コンクリート製のボードを利用して構築する。両側とも鉄筋コンクリート製のボードを利用してもよい。
【００１９】
管２０は、例えば一般に使用される上水道用の金属製の配管を用いることができる。管２０は、例えば、外径４８．６ｍｍ、内径４６ｍｍとし、この内部に、例えば、外径１７ｍｍ、内径１３ｍｍの架橋ポリエチレンパイプ２２を装填する。架橋ポリエチレンパイプ２２は、可撓性があって湾曲し、軽量であるから、管２０の端末から送り込んで、管２０の他方の端末まで送り出すことも可能であるが、この実施形態では、縦方向に配した管２０に個別に架橋ポリエチレンパイプ２２を配して、各架橋ポリエチレンパイプ２２の端末をヘッター２３によって連絡してある。新築の場合はそのほうが架橋ポリエチレンパイプ２２の配設が容易であるし、後のメンテナンスも容易だからである。高密度の架橋ポリエチレンパイプ２２としては、例えばエクセルパイプ（商品名；三菱化学産資株式会社）を利用できる。耐圧性と耐熱性に優れ、耐食性、耐薬品性もあわせもつ。
【００２０】
このような温水利用の壁暖房をとる場合には、床下からの冷気を防ぐことが望ましい。例えば、図１、図２にも示すように、床下には複数の蓄熱伝達パイプ４０を打ち込んでおき、建物の床下地中の地熱を常時、床下空間４１に伝えることが出来るようにしておく。寒冷地における厳冬期でも、建物下の地中は地熱の作用で比較的暖かく、夏は冷えているので、居室の温度調整を行うには好ましい構造となる。４４は、一階の床のスラブコンクリート、４５は、二階の床のスラブコンクリート、４６は、各階のスラブコンクリート４４、４５の上に配した断熱および遮音のための発砲コンクリートである。床の内装仕上板は省略してある。４８は、建物の基礎コンクリートである。
【００２１】
従って、かかる構造によれば、ボイラ装置からの高温水を仕切壁１０の内側の管２０に供給することにより、仕切壁１０を構成するコンクリートにいったん熱を蓄えさせて、蓄えた熱を放出させることにより、居室に対して常にやわらかな暖かさを供給することが出来る。いわゆる輻射熱の放出による暖房は、ストーブの火力や電気ヒータの温風による暖房とは異なって、深夜でも温度差の少ない安定したやわらかな暖房となる。暑すぎるような過剰な暖房にはならず、常に室内温度が安定するため、高齢者や幼児の身体にも優しい環境を実現できる。一般に、寒冷地の暖房は、ストーブをつけると部屋が暑くなり、ストーブを切ると部屋が寒くなる傾向にあるが、このような寒暖差がなくなる。同じことは、温水を利用する床暖房でも実現できるのであるが、温水利用の床暖房では、各階の床に配管を必要とするため、必然的に配管長が延び、施工コストが上昇する難点がある。
【００２２】
本発明の場合、管２０の内部に架橋ポリエチレンパイプ２２を配するので、管２０の劣化（とくに発錆）という問題がない。このため、架橋ポリエチレンパイプ２２を新品に交換する必要が生じたときでも、建物（仕切壁１０）を壊す必要がない。管２０はそのままにして、架橋ポリエチレンパイプ２２だけを簡単に交換すれば済む。
【００２３】
上水道の供給管も同じである。既存の上水道の供給管に対しても、架橋ポリエチレンパイプを挿通することは可能であるから、すでに古くなって錆びが生じている水道管も、容易な工事で、水道管を新しくしたのと同じ効果をもたせることが出来る。新築の建物に適用する場合、水道管は金属管である必要はなく樹脂管であってもかまわない。
【００２４】
なお、本発明にかかる水管構造は、前記実施形態のものに限定されない。例えば、管２０を配する仕切壁１０は、コンクリートブロックを使用してもよい。コンクリートブロックを使用して仕切壁１０を作っても、管２０の放熱を蓄えて常に輻射熱を居室に供給することが出来るからである。
【００２５】
外壁には管２０を配設する必要は少ない。仕切壁１０に管２０を配して温水を供給すれば、角部屋や外壁側の部屋も暖房されるからである。
【００２６】
架橋ポリエチレンパイプ２２に温水を循環供給するときは、不凍液を用いても良い。
【００２７】
管２０は、横方向に複数配してもよいが、縦方向の管２０を複数配列したほうが、上の階と下の階における温度差がない。横方向にねかせた長尺管を上下に配列すると、温水を供給する最初の管側が高温になり、下流になるに従って温水の温度が下がる。しかしながら、高温水の温度低下は激しくはない。供給開始点と供給修了点の温度差は例えば約１０℃である。７０℃で供給した温水が、修了点で６０℃になる程度であり、低層階住宅であれば管２０を横置きにしても実用に耐える。
【００２８】
架橋ポリエチレンパイプ２２に供給する高温水の熱源は、必ずしもボイラ装置に限定されない。温泉のような天然の高温水を利用する場合もあるからである。
【図面の簡単な説明】
【００２９】
【図１】実施形態に係る仕切壁の水管構造を側面から示す断面図である。
【図２】実施形態に係る図１のＡ−Ａ線断面図である。
【図３】実施形態に係る管の構造を例示する図である。
【符号の説明】
【００３０】
１０  仕切壁
１２  鉄筋
２０  管
２２  架橋ポリエチレンパイプ
２３  ヘッター（連絡パイプ）
２４  給湯管
４０  蓄熱伝達パイプ
４１  床下空間
４４、４５  スラブコンクリート
４６  発砲コンクリート
４８  基礎コンクリート
【図１】
2006132281.tif 000003
【図２】
2006132281.tif 000004
【図３】
2006132281.tif 000005